【手続補正書】
【提出日】平成19年10月30日(2007.10.30)
【手続補正１】
【補正対象書類名】特許請求の範囲
【補正対象項目名】全文
【補正方法】変更
【補正の内容】
【特許請求の範囲】
【請求項１】
少なくとも片面に発色剤が塗布された第１のノンカーボン紙と、少なくとも片面に顕色剤が塗布された第２のノンカーボン紙とを前記発色剤が塗布された面と前記顕色剤が塗布された面とが接触するように丁合して使用するノンカーボン複写紙に帳票フォームを印刷する印刷装置であって、
前記第１のノンカーボン紙からの複写を禁止する第１の領域を前記第２のノンカーボン紙の前記顕色剤が塗布された面側に設定する設定手段と、
前記第１の領域を用いて前記第２のノンカーボン紙上の前記第１の領域と面対称を成す第２の領域を算出し前記第１のノンカーボン紙の前記発色剤が塗布された面側に設定する算出手段と、
前記第１のノンカーボン紙の前記発色剤が塗布された面上の前記第２の領域に該印刷装置に蓄積されているトナーを塗布するトナー塗布手段と、
を備えることを特徴とする印刷装置。
【請求項２】
前記設定手段によって設定された前記第２のノンカーボン紙の前記顕色剤が塗布された面側の前記第１の領域に、所定模様を形成する模様形成手段をさらに備えることを特徴とする請求項１に記載の印刷装置。
【請求項３】
前記設定手段によって設定された前記第２のノンカーボン紙の前記顕色剤が塗布された面側の前記第１の領域に前記印刷装置に蓄積されているトナーを塗布する第２のトナー塗布手段をさらに備えることを特徴とする請求項１又は２に記載の印刷装置。
【請求項４】
少なくとも片面に発色剤が塗布された第１のノンカーボン紙と、少なくとも片面に顕色剤が塗布された第２のノンカーボン紙とを前記発色剤が塗布された面と前記顕色剤が塗布された面とが接触するように丁合して使用するノンカーボン複写紙に帳票フォームを印刷する印刷装置におけるノンカーボン複写紙の複写抑制方法であって、
前記第１のノンカーボン紙からの複写を禁止する第１の領域を前記第２のノンカーボン紙の前記顕色剤が塗布された面側に設定する設定工程と、
前記第１の領域を用いて前記第２のノンカーボン紙上の前記第１の領域と面対称を成す第２の領域を算出し前記第１のノンカーボン紙の前記発色剤が塗布された面側に設定する算出工程と、
前記第１のノンカーボン紙の前記発色剤が塗布された面上の前記第２の領域に該印刷装置に蓄積されているトナーを塗布するトナー塗布工程と、
を有することを特徴とする複写抑制方法。
【請求項５】
前記設定工程によって設定された前記第２のノンカーボン紙の前記顕色剤が塗布された面側の前記第１の領域に、所定模様を形成する模様形成工程をさらに有することを特徴とする請求項４に記載の複写抑制方法。
【請求項６】
前記設定工程によって設定された前記第２のノンカーボン紙の前記顕色剤が塗布された面側の前記第１の領域に前記印刷装置に蓄積されているトナーを塗布する第２のトナー塗布工程をさらに有することを特徴とする請求項４又は５に記載の複写抑制方法。
【請求項７】
少なくとも片面に発色剤が塗布された第１のノンカーボン紙と、少なくとも片面に顕色剤が塗布された第２のノンカーボン紙とを前記発色剤が塗布された面と前記顕色剤が塗布された面とが接触するように丁合して使用するノンカーボン複写紙に帳票フォームを印刷装置に印刷させるためのプログラムであって、
印刷装置に、
前記第１のノンカーボン紙からの複写を禁止する第１の領域を前記第２のノンカーボン紙の前記顕色剤が塗布された面側に設定する設定手順と、
前記第１の領域を用いて前記第２のノンカーボン紙上の前記第１の領域と面対称を成す第２の領域を算出し前記第１のノンカーボン紙の前記発色剤が塗布された面側に設定する算出手順と、
前記第１のノンカーボン紙の前記発色剤が塗布された面上の前記第２の領域に該印刷装置に蓄積されているトナーを塗布するトナー塗布手順と、
を実行させるためのプログラム。
【請求項８】
前記設定手順によって設定された前記第２のノンカーボン紙の前記顕色剤が塗布された面側の前記第１の領域に、所定模様を形成する模様形成手順をさらに実行させることを特徴とする請求項７に記載のプログラム。
【請求項９】
前記設定手順によって設定された前記第２のノンカーボン紙の前記顕色剤が塗布された面側の前記第１の領域に前記印刷装置に蓄積されているトナーを塗布する第２のトナー塗布手順をさらに実行させることを特徴とする請求項７又は８に記載のプログラム。
【請求項１０】
少なくとも片面に顕色剤が塗布された第１のノンカーボン紙と、少なくとも片面に発色剤が塗布された第２のノンカーボン紙とを前記顕色剤が塗布された面と前記発色剤が塗布された面とが接触するように丁合して使用するノンカーボン複写紙に帳票フォームを印刷する印刷装置であって、
前記第１のノンカーボン紙からの複写を禁止する第１の領域を前記第２のノンカーボン紙の前記発色剤が塗布された面側に設定する設定手段と、
前記第１の領域を用いて前記第２のノンカーボン紙上の前記第１の領域と面対称を成す第２の領域を算出し前記第１のノンカーボン紙の前記顕色剤が塗布された面側に設定する算出手段と、
前記第１のノンカーボン紙の前記顕色剤が塗布された面上の前記第２の領域に該印刷装置に蓄積されているトナーを塗布するトナー塗布手段と、
を備えることを特徴とする印刷装置。
【請求項１１】
少なくとも片面に顕色剤が塗布された第１のノンカーボン紙と、少なくとも片面に発色剤が塗布された第２のノンカーボン紙とを前記顕色剤が塗布された面と前記発色剤が塗布された面とが接触するように丁合して使用するノンカーボン複写紙に帳票フォームを印刷する印刷装置におけるノンカーボン複写紙の複写抑制方法であって、
前記第１のノンカーボン紙からの複写を禁止する第１の領域を前記第２のノンカーボン紙の前記発色剤が塗布された面側に設定する設定工程と、
前記第１の領域を用いて前記第２のノンカーボン紙上の前記第１の領域と面対称を成す第２の領域を算出し前記第１のノンカーボン紙の前記顕色剤が塗布された面側に設定する算出工程と、
前記第１のノンカーボン紙の前記顕色剤が塗布された面上の前記第２の領域に該印刷装置に蓄積されているトナーを塗布するトナー塗布工程と、
を有することを特徴とする複写抑制方法。
【請求項１２】
少なくとも片面に顕色剤が塗布された第１のノンカーボン紙と、少なくとも片面に発色剤が塗布された第２のノンカーボン紙とを前記顕色剤が塗布された面と前記発色剤が塗布された面とが接触するように丁合して使用するノンカーボン複写紙に帳票フォームを印刷装置に印刷させるためのプログラムであって、
印刷装置に、
前記第１のノンカーボン紙からの複写を禁止する第１の領域を前記第２のノンカーボン紙の前記発色剤が塗布された面側に設定する設定手順と、
前記第１の領域を用いて前記第２のノンカーボン紙上の前記第１の領域と面対称を成す第２の領域を算出し前記第１のノンカーボン紙の前記顕色剤が塗布された面側に設定する算出手順と、
前記第１のノンカーボン紙の前記顕色剤が塗布された面上の前記第２の領域に該印刷装置に蓄積されているトナーを塗布するトナー塗布手順と、
を実行させるためのプログラム。
【請求項１３】
印刷装置と前記印刷装置と通信可能なコンピュータとから構成される印刷システムであって、
前記印刷装置は、
少なくとも片面に発色剤が塗布された第１のノンカーボン紙と、少なくとも片面に顕色剤が塗布された第２のノンカーボン紙とを前記発色剤が塗布された面と前記顕色剤が塗布された面とが接触するように丁合して使用するノンカーボン複写紙に帳票フォームを印刷し、
前記印刷システムは、
前記第１のノンカーボン紙からの複写を禁止する第１の領域を第２のノンカーボン紙の前記顕色剤が塗布された面側に設定する設定手段と、
前記第１の領域を用いて前記第２のノンカーボン紙上の前記第１の領域と面対称を成す第２の領域を算出し前記第１のノンカーボン紙の前記発色剤が塗布された面側に設定する算出手段と、
前記第１のノンカーボン紙の前記発色剤が塗布された面上の前記第２の領域に該印刷装置に蓄積されているトナーを塗布するトナー塗布手段と、
を備えることを特徴とする印刷システム。
【請求項１４】
前記印刷システムは、
前記設定手段によって設定された前記第２のノンカーボン紙の前記顕色剤が塗布された面側の前記第１の領域に、所定模様を形成する模様形成手段をさらに備えることを特徴とする請求項１３に記載の印刷システム。
【請求項１５】
前記印刷装置は、
前記設定手段によって設定された前記第２のノンカーボン紙の前記顕色剤が塗布された面側の前記第１の領域に前記印刷装置に蓄積されているトナーを塗布する第２のトナー塗布手段をさらに備えることを特徴とする請求項１３又は１４に記載の印刷システム。
【請求項１６】
印刷装置と前記印刷装置と通信可能なコンピュータとから構成される印刷システムであって、
前記印刷装置は、
少なくとも片面に顕色剤が塗布された第１のノンカーボン紙と、少なくとも片面に発色剤が塗布された第２のノンカーボン紙とを前記顕色剤が塗布された面と前記発色剤が塗布された面とが接触するように丁合して使用するノンカーボン複写紙に帳票フォームを印刷し、
前記印刷システムは、
前記第１のノンカーボン紙からの複写を禁止する第１の領域を前記第２のノンカーボン紙の前記発色剤が塗布された面側に設定する設定手段と、
前記第１の領域を用いて前記第２のノンカーボン紙上の前記第１の領域と面対称を成す第２の領域を算出し前記第１のノンカーボン紙の前記顕色剤が塗布された面側に設定する算出手段と、
前記第１のノンカーボン紙の前記顕色剤が塗布された面上の前記コンピュータによって設定された前記第２の領域に該印刷装置に蓄積されているトナーを塗布するトナー塗布手段と、
を備えることを特徴とする印刷システム。
【手続補正２】
【補正対象書類名】明細書
【補正対象項目名】発明の名称
【補正方法】変更
【補正の内容】
【発明の名称】印刷装置及び複写抑制方法並びにプログラム、印刷システム
【手続補正３】
【補正対象書類名】明細書
【補正対象項目名】０００８
【補正方法】変更
【補正の内容】
【０００８】
上記問題を解決するために、本発明に係る印刷装置は以下の構成を備える。すなわち、少なくとも片面に発色剤が塗布された第１のノンカーボン紙と、少なくとも片面に顕色剤が塗布された第２のノンカーボン紙とを前記発色剤が塗布された面と前記顕色剤が塗布された面とが接触するように丁合して使用するノンカーボン複写紙に帳票フォームを印刷する印刷装置であって、前記第１のノンカーボン紙からの複写を禁止する第１の領域を前記第２のノンカーボン紙の前記顕色剤が塗布された面側に設定する設定手段と、前記第１の領域を用いて前記第２のノンカーボン紙上の前記第１の領域と面対称を成す第２の領域を算出し前記第１のノンカーボン紙の前記発色剤が塗布された面側に設定する算出手段と、前記第１のノンカーボン紙の前記発色剤が塗布された面上の前記第２の領域に該印刷装置に蓄積されているトナーを塗布するトナー塗布手段と、を備えることを特徴とする。
または、少なくとも片面に顕色剤が塗布された第１のノンカーボン紙と、少なくとも片面に発色剤が塗布された第２のノンカーボン紙とを前記顕色剤が塗布された面と前記発色剤が塗布された面とが接触するように丁合して使用するノンカーボン複写紙に帳票フォームを印刷する印刷装置であって、前記第１のノンカーボン紙からの複写を禁止する第１の領域を前記第２のノンカーボン紙の前記発色剤が塗布された面側に設定する設定手段と、前記第１の領域を用いて前記第２のノンカーボン紙上の前記第１の領域と面対称を成す第２の領域を算出し前記第１のノンカーボン紙の前記顕色剤が塗布された面側に設定する算出手段と、前記第１のノンカーボン紙の前記顕色剤が塗布された面上の前記第２の領域に該印刷装置に蓄積されているトナーを塗布するトナー塗布手段と、を備えることを特徴とする。
【手続補正４】
【補正対象書類名】明細書
【補正対象項目名】０００９
【補正方法】変更
【補正の内容】
【０００９】
また、上記問題を解決するために、本発明に係る複写抑制方法は以下の構成を備える。すなわち、少なくとも片面に発色剤が塗布された第１のノンカーボン紙と、少なくとも片面に顕色剤が塗布された第２のノンカーボン紙とを前記発色剤が塗布された面と前記顕色剤が塗布された面とが接触するように丁合して使用するノンカーボン複写紙に帳票フォームを印刷する印刷装置におけるノンカーボン複写紙の複写抑制方法であって、前記第１のノンカーボン紙からの複写を禁止する第１の領域を前記第２のノンカーボン紙の前記顕色剤が塗布された面側に設定する設定工程と、前記第１の領域を用いて前記第２のノンカーボン紙上の前記第１の領域と面対称を成す第２の領域を算出し前記第１のノンカーボン紙の前記発色剤が塗布された面側に設定する算出工程と、前記第１のノンカーボン紙の前記発色剤が塗布された面上の前記第２の領域に該印刷装置に蓄積されているトナーを塗布するトナー塗布工程と、を有することを特徴とする。
または、少なくとも片面に顕色剤が塗布された第１のノンカーボン紙と、少なくとも片面に発色剤が塗布された第２のノンカーボン紙とを前記顕色剤が塗布された面と前記発色剤が塗布された面とが接触するように丁合して使用するノンカーボン複写紙に帳票フォームを印刷する印刷装置におけるノンカーボン複写紙の複写抑制方法であって、前記第１のノンカーボン紙からの複写を禁止する第１の領域を前記第２のノンカーボン紙の前記発色剤が塗布された面側に設定する設定工程と、前記第１の領域を用いて前記第２のノンカーボン紙上の前記第１の領域と面対称を成す第２の領域を算出し前記第１のノンカーボン紙の前記顕色剤が塗布された面側に設定する算出工程と、前記第１のノンカーボン紙の前記顕色剤が塗布された面上の前記第２の領域に該印刷装置に蓄積されているトナーを塗布するトナー塗布工程と、を有することを特徴とする。
【手続補正５】
【補正対象書類名】明細書
【補正対象項目名】００１０
【補正方法】変更
【補正の内容】
【００１０】
さらに、上記問題を解決するために、本発明に係るプログラムは以下の構成を備える。すなわち、少なくとも片面に発色剤が塗布された第１のノンカーボン紙と、少なくとも片面に顕色剤が塗布された第２のノンカーボン紙とを前記発色剤が塗布された面と前記顕色剤が塗布された面とが接触するように丁合して使用するノンカーボン複写紙に帳票フォームを印刷装置に印刷させるためのプログラムであって、印刷装置に、前記第１のノンカーボン紙からの複写を禁止する第１の領域を前記第２のノンカーボン紙の前記顕色剤が塗布された面側に設定する設定手順と、前記第１の領域を用いて前記第２のノンカーボン紙上の前記第１の領域と面対称を成す第２の領域を算出し前記第１のノンカーボン紙の前記発色剤が塗布された面側に設定する算出手順と、前記第１のノンカーボン紙の前記発色剤が塗布された面上の前記第２の領域に該印刷装置に蓄積されているトナーを塗布するトナー塗布手順と、を実行させることを特徴とする。
または、少なくとも片面に顕色剤が塗布された第１のノンカーボン紙と、少なくとも片面に発色剤が塗布された第２のノンカーボン紙とを前記顕色剤が塗布された面と前記発色剤が塗布された面とが接触するように丁合して使用するノンカーボン複写紙に帳票フォームを印刷装置に印刷させるためのプログラムであって、印刷装置に、前記第１のノンカーボン紙からの複写を禁止する第１の領域を前記第２のノンカーボン紙の前記発色剤が塗布された面側に設定する設定手順と、前記第１の領域を用いて前記第２のノンカーボン紙上の前記第１の領域と面対称を成す第２の領域を算出し前記第１のノンカーボン紙の前記顕色剤が塗布された面側に設定する算出手順と、前記第１のノンカーボン紙の前記顕色剤が塗布された面上の前記第２の領域に該印刷装置に蓄積されているトナーを塗布するトナー塗布手順と、を実行させることを特徴とする。
さらにまた、上記問題を解決するために、本発明に係る印刷システムは以下の構成を備える。すなわち、印刷装置と前記印刷装置と通信可能なコンピュータとから構成される印刷システムであって、前記印刷装置は、少なくとも片面に発色剤が塗布された第１のノンカーボン紙と、少なくとも片面に顕色剤が塗布された第２のノンカーボン紙とを前記発色剤が塗布された面と前記顕色剤が塗布された面とが接触するように丁合して使用するノンカーボン複写紙に帳票フォームを印刷し、前記印刷システムは、前記第１のノンカーボン紙からの複写を禁止する第１の領域を第２のノンカーボン紙の前記顕色剤が塗布された面側に設定する設定手段と、前記第１の領域を用いて前記第２のノンカーボン紙上の前記第１の領域と面対称を成す第２の領域を算出し前記第１のノンカーボン紙の前記発色剤が塗布された面側に設定する算出手段と、前記第１のノンカーボン紙の前記発色剤が塗布された面上の前記第２の領域に該印刷装置に蓄積されているトナーを塗布するトナー塗布手段と、を備えることを特徴とする。
または、印刷装置と前記印刷装置と通信可能なコンピュータとから構成される印刷システムであって、前記印刷装置は、少なくとも片面に顕色剤が塗布された第１のノンカーボン紙と、少なくとも片面に発色剤が塗布された第２のノンカーボン紙とを前記顕色剤が塗布された面と前記発色剤が塗布された面とが接触するように丁合して使用するノンカーボン複写紙に帳票フォームを印刷し、前記印刷システムは、前記第１のノンカーボン紙からの複写を禁止する第１の領域を前記第２のノンカーボン紙の前記発色剤が塗布された面側に設定する設定手段と、前記第１の領域を用いて前記第２のノンカーボン紙上の前記第１の領域と面対称を成す第２の領域を算出し前記第１のノンカーボン紙の前記顕色剤が塗布された面側に設定する算出手段と、前記第１のノンカーボン紙の前記顕色剤が塗布された面上の前記コンピュータによって設定された前記第２の領域に該印刷装置に蓄積されているトナーを塗布するトナー塗布手段と、を備えることを特徴とする。